(57)【特許請求の範囲】
【請求項１】
モータを収容するハウジングの後方に、前記モータをＯＮ／ＯＦＦさせるスイッチの操作部材を下面に備えた直線状のハンドルを後ろ向きに延設し、前記ハウジングの前方に、工具を装着して前記モータの駆動で回転する回転軸を備える一方、流体供給管と、開閉操作部材の操作によって前記流体供給管内の流路を開閉させるバルブとを備え、前記流体供給管から供給される流体を前記回転軸から噴出可能とした電動工具であって、
前記ハンドルの下部に、前記操作部材を含む前記ハンドルの下側空間を囲んで前記ハンドルとループ状に繋がるガード部を延設して、前記ガード部内に前記流体供給管の一部を挿通させると共に前記バルブを収納して、前記開閉操作部材を前記下側空間内に突出させたことを特徴とする電動工具。
【請求項２】
前記下側空間内で前記開閉操作部材を前記操作部材よりも後方に配置したことを特徴とする請求項１に記載の電動工具。
【発明の詳細な説明】
【技術分野】
【０００１】
本発明は、モータを収容するハウジングの前方に、砥石やサンディングディスク等の工具を装着してモータ駆動で回転する回転軸を備えたグラインダやサンダ等の電動工具に関する。
【背景技術】
【０００２】
例えばサンダにおいては、モータを収容したモータハウジングの前方に、ベベルギヤを介して回転伝達される回転軸を直交状に軸支したギヤハウジングを連結し、ギヤハウジングから突出させた回転軸の端部に、サンディングディスク等の工具を装着して使用可能となっている。
このようなサンダでは、水や研磨剤等の流体を外部から供給する流体供給管と、レバー等の開閉操作部材の操作によって流体供給管内の流路を開閉させるバルブとを備え、流体供給管から供給される流体を回転軸から噴出可能としたものがある。このような流体供給装置を備えたものとして、例えば特許文献１には、回転軸の軸心にパイプによる流体供給路を設けると共に、ハウジングの上部にバルブを設けて、バルブに接続する外部からのパイプをハウジングの上面に沿って引き回す一方、ハウジングの上面にバルブを開閉操作するレバーを設けたサンダが開示されている。また、特許文献２には、回転軸の軸心に設けた研磨剤の噴出孔をハウジング内に設けた研磨剤通孔と連通させる一方、ハウジングに突設した水平ハンドルにバルブを設けてそのバルブに研磨剤通孔と外部からの配管とをそれぞれ接続して、バルブの弁軸にバルブ開閉操作用の押しボタンを設けた研磨装置が開示されている。
【先行技術文献】
【特許文献】
【０００３】
【特許文献１】米国特許第２２３８０９６号明細書
【特許文献２】実公平１−１５４９９号公報
【発明の概要】
【発明が解決しようとする課題】
【０００４】
上記従来のサンダでは、レバーや押しボタン等の開閉操作部材を何れもハウジングの上側に設けているため、開閉操作部材の誤操作によって偶発的に流体が供給されてしまうおそれがある。
一方、サンダの形態として、ハンドルの後方に、モータをＯＮ／ＯＦＦさせるトリガー等の操作部材を下面に設けた直線状のハンドルが後ろ向きに延設される横向き使用のタイプが知られている。このようなサンダでは、通常使用時に、操作部材を操作してハンドルを把持する一方の手と、ハウジングの前方部分やハウジングから横向きに設けられた補助ハンドル等を把持する他方の手とで両手がふさがることになる。よって、流体供給のためにハウジングの上部に設けた開閉操作部材を操作する際にはハウジングを持ち替えたり一旦作業を中断したりする必要があり、使い勝手が悪くなってしまう。
【０００５】
そこで、本発明は、このようなハンドルを延設した横向き使用のものにおいて、開閉操作部材を誤操作するおそれが少なく、而も開閉操作部材の操作性が良好となって使い勝手にも優れる電動工具を提供することを目的としたものである。
【課題を解決するための手段】
【０００６】
上記目的を達成するために、請求項１に記載の発明は、ハンドルの下部に、操作部材を含むハンドルの下側空間を囲んでハンドルとループ状に繋がるガード部を延設して、ガード部内に流体供給管の一部を挿通させると共にバルブを収納して、開閉操作部材を下側空間内に突出させたことを特徴とするものである。
請求項２に記載の発明は、請求項１の構成において、下側空間内で開閉操作部材を操作部材よりも後方に配置したことを特徴とするものである。
【発明の効果】
【０００７】
請求項１に記載の発明によれば、操作部材と共にバルブの開閉操作部材もガード部で囲まれるため、開閉操作部材を誤操作するおそれが少なくなる。而もハンドルを把持する手でそのまま開閉操作部材の操作が可能となるため、開閉操作部材の操作性が良好となって使い勝手にも優れる。また、流体供給管の一部がガード部内に収まるため、流体供給管の露出が少なくなって流体供給管の保護に繋がる上、流体供給管が作業の邪魔になるおそれも低減される。
請求項２に記載の発明によれば、請求項１の効果に加えて、開閉操作部材を下側空間内に突出させても操作部材の操作の邪魔になることがなく、互いに干渉なく操作可能となる。
【図面の簡単な説明】
【０００８】
【図１】ディスクサンダの全体図である。
【図２】Ａ−Ａ線断面図である。
【発明を実施するための形態】
【０００９】
以下、本発明の実施の形態を図面に基づいて説明する。
図１に、電動工具の一例であるディスクサンダを示す。このディスクサンダ１は、モータを横向きに収容する筒状のモータハウジング２の前方（図１の右側）に、モータの出力軸が突出するギヤハウジング３を連結し、ギヤハウジング３内で上下方向に軸支される回転軸４をベベルギヤを介して出力軸に噛合させる一方、回転軸４の下端をギヤハウジング３の下方に突出させて、ここにサンディングディスク等の円盤状工具５を装着可能としている。６はギヤハウジング３の下面に装着されて円盤状工具５の後部を覆うセーフティカバーである。
【００１０】
一方、モータハウジング２の後方には、ハンドル８を後方へ突設したハンドルハウジング７が連結されている。ハンドル８の下面前方側には、モータをＯＮ／ＯＦＦさせるスイッチに設けた操作部材としてのトリガー９が下向きに設けられている。
また、ハンドルハウジング７において、ハンドル８の下部には、トリガー９を含むハンドル８の下側空間を囲んでハンドル８とループ状に繋がるガード部１０が延設されている。なお、ハンドルハウジング７は、ハンドル８とガード部１０とを一体形成した左右一対の半割ハウジングを組み付けることで形成される。
【００１１】
そして、このディスクサンダ１には注水装置１１が具備されている。この注水装置１１は、開閉操作部材としてのレバー１３を備えたバルブ１２をガード部１０の後部内に収容し、バルブ１２の前方に接続した流体供給管としてのホース１４を、ガード部１０内を挿通させてガード部１０の前方から外部へ引き出し、そのままモータハウジング２の下方で前方へ伸ばして、先端に設けたノズル部１５をギヤハウジング３の後面に接続する構成となっている。
【００１２】
また、ギヤハウジング３内で回転軸４の周囲には、リング状の注水部１６が形成され、回転軸４の軸心には、注水部１６と連通して下端に噴出口１８を開口させる導入路１７が形成されて、ノズル部１５から供給される水を注水部１６から導入路１７を介して噴出口１８から噴出可能となっている。なお、バルブ１２の後部にはプラグ１９が設けられてガード部１０の後端から後方へ突出し、ここに水道管やポンプ等の供給源に接続した図示しないホースのソケットが接続可能となっている。
【００１３】
２０は、バルブ１２とプラグ１９との間に設けられた位置決め板で、図２に示すように、バルブ１２に形成された二面幅部２１に嵌合する透孔２２を有し、この嵌合によってバルブ１２に対して回転規制された状態で直交状に装着される。位置決め板２０の左右両端は、ガード部１０を形成する半割ハウジングに凹設された凹部２３，２３に嵌合して、ハンドルハウジング７の組み付け状態では、位置決め板２０を介してバルブ１２が回転規制されるようになっている。
【００１４】
また、バルブ１２に設けられるレバー１３は、ガード部１０の後方上面に突出して、バルブ１２の閉状態ではガード部１０に沿って前方を向くように設定されているが、この前方姿勢でもレバー１３はトリガー９の下側には突出しない位置関係となっている。こうしてレバー１３がガード部１０で囲まれるハンドル８の下側空間内に位置することで、偶発的に回転するおそれは非常に小さくなる。
【００１５】
以上の如く構成されたディスクサンダ１においては、ハンドル８を把持した一方の手でトリガー９を押し込んでモータを駆動させると、回転軸４と共に円盤状工具５が回転し、被研磨材の研磨が可能となる。このとき、他方の手はギヤハウジング３の側面で横向きに連結された図示しない補助ハンドルを把持するか、ギヤハウジング３の上部を把持するかしてディスクサンダ１の姿勢を維持することになる。
【００１６】
ここで、研磨と共に注水を行う場合は、ハンドル８を把持する手の指でレバー１３を横に回転させれば、バルブ１２が開いて供給源からの水がホース１４を通ってノズル部１５から注水部１６へ供給され、回転軸４の導入路１７を介して噴出口１８から噴出する。よって、研磨に伴い発生する粉塵を飛散させることなく水と共に排出可能となる。止水する場合も同様に、ハンドル８を把持する手の指でレバー１３を前方姿勢に戻せばよい。この放水、止水何れの場合もディスクサンダ１を持ち替えたりすることなく、ハンドル８を把持する手でそのままレバー１３の回転操作が可能となるため、注水装置１１の使用に係り研磨作業を中断する必要がない。
【００１７】
このように、上記形態のディスクサンダ１によれば、ハンドル８の下部に、トリガー９を含むハンドル８の下側空間を囲んでハンドル８とループ状に繋がるガード部１０を延設して、ガード部１０内にホース１４の一部を挿通させると共にバルブ１２を収納して、レバー１３を下側空間内に突出させたことで、トリガー９と共にレバー１３もガード部１０で囲まれるため、レバー１３を誤操作するおそれが少なくなる。而もハンドル８を把持する手でそのままレバー１３の操作が可能となるため、レバー１３の操作性が良好となって使い勝手にも優れる。また、ホース１４の一部がガード部１０内に収まるため、ホース１４の露出が少なくなってホース１４の保護に繋がる上、ホース１４が作業の邪魔になるおそれも低減される。
【００１８】
特にここでは、下側空間内でレバー１３をトリガー９よりも後方に配置しているので、レバー１３を下側空間内に突出させてもトリガー９の操作の邪魔になることがなく、互いに干渉なく操作可能となる。
【００１９】
なお、操作部材としては押しボタンやスイッチレバー等の他の構造であっても差し支えないし、開閉操作部材もレバー以外につまみ形状や円形ハンドル形状等の他の構造も採用できる。
また、ハンドルとガード部とは一体成形するものに限らず、別体のガード部がハンドルに連結されるものでもよいし、半割ハウジングを組み付ける構造以外でもよい。
さらに、上記形態では、回転軸に水を供給する例で説明しているが、研磨剤や洗浄剤等の他の流体であっても本発明は適用可能であるし、ディスクサンダに限らず、グラインダ等の他の電動工具であっても適用可能である。
【符号の説明】
【００２０】
１・・ディスクサンダ、２・・モータハウジング、３・・ギヤハウジング、４・・回転軸、５・・円盤状工具、７・・ハンドルハウジング、８・・ハンドル、９・・トリガー、１０・・ガード部、１１・・注水装置、１２・・バルブ、１３・・レバー、１４・・ホース、１５・・ノズル部。
【図１】
0005447977.tif 000002
【図２】
0005447977.tif 000003